(57)【要約】本発明の目的は、作用流体と共に作動する閉ガスサイクルのセクションを備える液化ガス用の再ガス化ラインであって、第１の熱交換器（ＨＥ１）であって、作用流体の熱が、液化ガスにその再ガス化のために伝達される、第１の熱交換器と、前記作用流体によって電流を発生させるためのタービン（Ｔ１）とを備え、前記ラインは、第１の中間流体の回路の一部である第２の熱交換器（ＨＥ２）をさらに備え、前記第１の中間流体は、前記作用流体に熱を伝達する、液化ガス用の再ガス化ラインである。
2020501071.tif 000002
【特許請求の範囲】
【請求項１】
作用流体と共に作動する閉ガスサイクルのセクションを備える液化ガス用の再ガス化ラインであって、
第１の熱交換器（ＨＥ１）であって、前記作用流体の熱が、前記液化ガスにその再ガス化のために伝達される、第１の熱交換器と、
前記作用流体によって電流を発生させるためのタービン（Ｔ２）と、
を備え、
前記再ガス化ラインは、第１の中間流体の回路の一部である第２の熱交換器（ＨＥ２）をさらに備え、
前記第１の中間流体は、前記作用流体に熱を伝達する、
液化ガス用の再ガス化ライン。
【請求項２】
第２の中間流体の回路の一部である第３の熱交換器（ＨＥ３）をさらに備え、前記第２の中間流体が、前記作用流体に熱を伝達する、請求項１に記載の液化ガス用の再ガス化ライン。
【請求項３】
前記第１の中間流体の回路が、ボイラ回路、又は前記ボイラ回路のボイラによって生成された蒸発気で作動する回路である、請求項１又は２に記載の液化ガス用の再ガス化ライン。
【請求項４】
前記第２の中間流体の回路が、海水回路である、請求項１又は２に記載の液化ガス用の再ガス化ライン。
【請求項５】
ボイラ水の冷却及び前記第１の熱交換器（ＨＥ１）から出力される閉ガスサイクルの前記作用流体の加熱が、前記第２の熱交換器（ＨＥ２）内で実施される、請求項１〜４のいずれか１つに記載の液化ガス用の再ガス化ライン。
【請求項６】
ボイラ水の冷却及び第３の熱交換器（ＨＥ３）から出力される前記閉ガスサイクルの前記作用流体の加熱が、前記第２の熱交換器内で実施される、請求項１〜５のいずれか１つに記載の液化ガス用の再ガス化ライン。
【請求項７】
第３の熱交換器（ＨＥ３）内で、海水の冷却及び前記第１の熱交換器（ＨＥ１）から出力される前記閉ガスサイクルの前記作用流体の加熱が、前記液化ガスを前記作用流体で再ガス化するために実施される、請求項２〜６のいずれか１つに記載の液化ガス用の再ガス化ライン。
【請求項８】
前記第２の熱交換器（ＨＥ２）からの前記第１の中間流体の出口が、前記ボイラによって生成された蒸発気との熱交換のために前記ボイラ回路のボイラ内に送られる、請求項３〜７のいずれか１つに記載の液化ガス用の再ガス化ライン。
【請求項９】
前記閉ガスサイクルのタービン（Ｔ２）には、前記第２の熱交換器（ＨＥ２）から出力される前記加熱された閉ガスサイクルの前記作用流体が供給される、請求項１〜８のいずれか１つに記載の液化ガス用の再ガス化ライン。
【請求項１０】
前記閉ガスサイクルの前記タービン（Ｔ２）には、前記ボイラ回路の前記ボイラからの出力内の前記加熱された閉ガスサイクルの前記作用流体が供給される、請求項８に記載の液化ガス用の再ガス化ライン。
【請求項１１】
前記閉ガスサイクルの前記作用流体が、空気、窒素、ヘリウム、アルゴンを含む群から選択され、好ましくはアルゴンである、請求項１〜１０のいずれか１つに記載の液化ガス用の再ガス化ライン。
【請求項１２】
前記ボイラ回路が、前記閉ガスサイクルの作用流体と前記液化ガスとの間の熱交換が中で実装される前記第１の熱交換器（ＨＥ１）から出力された再ガス化ガスの一部が供給されるボイラを備える、請求項１〜１１のいずれか１つに記載の液化ガス用の再ガス化ライン。
【請求項１３】
ヒートポンプ（ＨＰ）をさらに備え、前記ヒートポンプは、
−冷却流体回路と、
−前記冷却流体と前記ヒートポンプの第１の中間流体（ＨＰＦ１）との間の熱交換のための前記ヒートポンプの第１の熱交換器（ＣＰＣ）、及び前記冷却流体と前記ヒートポンプの第２の中間流体（ＨＰＦ２）との間の熱交換のための前記ヒートポンプの第２の熱交換器（ＶＰＣ）と、
−前記第２の中間流体（ＨＰＦ２）と前記液化ガスとの間の熱交換のための別の熱交換器（ＨＥ４）とを備える、請求項１〜１２のいずれか１つに記載の液化ガス用の再ガス化ライン。
【請求項１４】
前記ヒートポンプが、前記閉ガスサイクルの前記タービン（Ｔ２）に連結された発電機（Ｇ１）によって供給される、請求項１〜１３のいずれか１つに記載の液化ガス用の再ガス化ライン。
【請求項１５】
前記第２の中間流体の回路が、前記海水と前記ＢＯＧ回路との間の熱交換が起こる熱交換器ＨＥ５を備えるＢＯＧ回路に置き換えられるか、又は追加される、請求項４〜１４のいずれか１つに記載の液化ガス用の再ガス化ライン。
【請求項１６】
再ガス化されるべき前記液化ガスが、空気、窒素、プロパン及びブタンなどのアルカン、もしくは、エチレン、プロピレンなどのアルケンなどの、炭化水素化合物、又は液化天然ガス（ＬＮＧ）、水素からなる群から選択され、好ましくは液化天然ガス（ＬＮＧ）である、請求項１〜１５のいずれか１つに記載の液化ガス用の再ガス化ライン。
【請求項１７】
請求項１〜１６のいずれか１つに記載の１つ又は複数の液化ガス用の再ガス化ラインを備える、液化ガス用の再ガス化ターミナル。
【請求項１８】
前記再ガス化ラインが平行である、請求項１７に記載の液化ガス用の再ガス化ターミナル。
【請求項１９】
水中燃焼気化器（ＳＣＶ）又はオープンラック気化器型の気化セクションをさらに備える、請求項１７又は１８に記載の液化ガス用の再ガス化ターミナル。
【請求項２０】
液化ガスの再ガス化ライン内で熱エネルギー及び電気エネルギーを発生させるための方法であって、
１）作用流体を用いて閉ガスサイクルを作動させるステップであって、
ｉ）前記作用流体の一部から熱エネルギーを取得する１つ又は複数のステップと、
ｉｉ）前記閉ガスサイクル作用流体を用いて電気エネルギーを発生させるステップと、
ｉｉｉ）第１の熱交換器（ＨＥ１）内で前記作用流体から液化ガスに熱エネルギーを伝達するステップとを含む、作動させるステップを含む、液化ガスの再ガス化ライン内で熱エネルギー及び電気エネルギーを発生させるための方法。
【請求項２１】
前記ステップｉ）が、海水又は周囲空気から熱エネルギーを取得するステップ（ステップＡ）を含む、請求項２０に記載の液化ガスの再ガス化ライン内で熱エネルギー及び電気エネルギーを発生させるための方法。
【請求項２２】
前記ステップｉ）が、過熱水又はジアテルミーボイラオイルから熱エネルギーを取得するステップ（ステップＡ’）を含む、請求項２０又は２１に記載の液化ガスの再ガス化ライン内で熱エネルギー及び電気エネルギーを発生させるための方法。
【請求項２３】
前記ステップＡ’）が、前記ステップＡ）の代替又は追加のいずれかである、請求項２２に記載の液化ガスの再ガス化ライン内で熱エネルギー及び電気エネルギーを発生させるための方法。
【請求項２４】
さらに、
２）以下のステップによってヒートポンプ（ＨＰ）を作動させるステップであって、
ａ）冷却流体と前記ヒートポンプの第１の中間流体（ＨＰＦ１）との間で第１の熱交換を実装するステップであって、前記第１の中間流体（ＨＰＦ１）は、前記冷却液体に熱を伝達する、ステップと、
ｂ）前記冷却流体と前記ヒートポンプの第２の中間流体（ＨＰＦ２）との間で第２の熱交換を実施するステップであって、前記冷却流体は、前記第２の中間流体（ＨＰＦ２）に熱を伝達する、ステップとを含む、作動させるステップと、
３）前記第２の中間流体（ＨＰＦ２）と前記液化ガスとの間で熱交換を実装するステップとを含む、請求項２０〜２３のいずれか１つに記載の液化ガスの再ガス化ライン内で熱エネルギー及び電気エネルギーを発生させるための方法。
【請求項２５】
ステップ３）の前記液化ガスが、前記第１の熱交換器（ＨＥ１）内の部分的に再ガス化された液化ガスである、請求項２４に記載の液化ガスの再ガス化ライン内で熱エネルギー及び電気エネルギーを発生させるための方法。
【請求項２６】
ステップｉｉ）において生成された前記電気エネルギーをヒートポンプ（ＨＰ）に供給するステップを含む、請求項２０〜２５のいずれか１つに記載の液化ガスの再ガス化ライン内で熱エネルギー及び電気エネルギーを発生させるための方法。
【請求項２７】
前記ボイラには、ステップｉｉｉ）による再ガス化ガスの一部が供給されることを特徴とする、請求項２０〜２６のいずれか１つに記載の液化ガスの再ガス化ライン内で熱エネルギー及び電気エネルギーを発生させるための方法。
【請求項２８】
前記作用流体が、アルゴン、窒素、ヘリウム、空気を含む群から選択され、好ましくはアルゴンであることを特徴とする、請求項２０〜２７のいずれか１つに記載の液化ガスの再ガス化ライン内で熱エネルギー及び電気エネルギーを発生させるための方法。
【請求項２９】
再ガス化ターミナルの異なる再ガス化ラインで独立して実施される、請求項２０〜２８のいずれか１つに記載の液化ガスの再ガス化ライン内で熱エネルギー及び電気エネルギーを発生させるための方法。
【請求項３０】
前記液化ガスが、空気、窒素、プロパン及びブタンなどのアルカン、もしくは、エチレン、プロピレンなどのアルケンなどの炭化水素化合物、又は液化天然ガス（ＬＮＧ）を含む群から選択され、好ましくは液化天然ガス（ＬＮＧ）である、請求項２０〜２９のいずれか１つに記載の液化ガスの再ガス化ライン内で熱エネルギー及び電気エネルギーを発生させるための方法。
【請求項３１】
ガス状、液体、又は固体の極低温貯蔵物を形成するための、請求項２０〜３０のいずれか１つに記載の方法。
【発明の詳細な説明】
【技術分野】
【０００１】
本発明は、エネルギー分野において、特に液化ガスの再ガス化ターミナルに必要とされるエネルギー消費の低減のための用途を見出す。
【背景技術】
【０００２】
液化天然ガス（ＬＮＧ）を再ガス化するための技術が知られている。
【０００３】
液化天然ガスは、主に、メタンと、より少ない程度ではあるがエタン、プロパン、イソブタン、ｎ−ブタン、ペンタン、及び窒素などの他の軽質炭化水素とを含む天然ガスの混合物であり、室温において見出されるガス状態から、約−１６０℃において液体状態に変換されてその輸送が可能になる。
【０００４】
液化プラントは、天然ガス製造場所の近くに位置する一方で、再ガス化プラント（又は「再ガス化ターミナル」）は、ユーザの近くに位置する。
【０００５】
ほとんどのプラント（約８５％）は陸上に位置し、残り（約１５％）はプラットホーム又は船上の洋上にある。
【０００６】
各再ガス化ターミナルは、液化天然ガスの負荷又は要求を満たすために、並びに柔軟性又は技術的要件の理由から（例えば、ラインの維持のために）、いくつかの再ガス化ラインを備えることが一般的である。
【０００７】
通常、再ガス化技術は、タンク内に−１６０℃の温度で大気圧で貯蔵された液化天然ガスを含み、最大約７０〜８０バールのガス圧縮のステップと、最大約３℃の気化及び過熱のステップとを含む。
【０００８】
１３９ｔ／ｈの再ガス化に必要な火力は、約２７ＭＷｔ（メガワット）であり、電力は約２．２５ＭＷｅ（メガワット）である（プラントの他の補助負荷を考慮する場合４．８５ＭＷｅであり、４つの再ガス化ライン上のプラントの最大電気負荷は１９．４ＭＷｅである）。
【０００９】
これらの中で、最も使用されているものは、個々に又は互いに組み合わせて、再ガス化ターミナルの約７０％で使用されているオープンラック気化器（ＯＲＶ）技術、及び水中燃焼気化器（ＳＣＶ）である。
【００１０】
オープンラック気化器（ＯＲＶ）
この技術は、液体状態（約７０〜８０バール及び１６０℃の温度）の天然ガスが、パネルを形成するために側面を接するアルミニウム管内で底部から上方向に流れるようにされることを提供する。気化は、流体が進むにつれて漸進的に起こる。
【００１１】
熱媒体は海水であり、管の外面を上部から下方向に流れることにより、温度差によって気化に必要な熱が提供される。
【００１２】
特に、熱交換は、パネル上の薄い海水膜の均一な分布を実行する、管の外形及び表面粗さの設計によって最適化される。
【００１３】
水中燃焼気化器（ＳＣＶ）
そのような技術は、熱媒体として水中火炎バーナーによって加熱された脱塩水を利用する。特に、燃料ガス（ＦＧ）が燃焼セクション内で燃焼され、生成された蒸発気は、燃焼ガスの気泡がそこから出てくる穿孔された管のコイルを通過し、水浴を加熱して凝縮熱も伝達する。
【００１４】
液化天然ガス（ＬＮＧ）は、同じ脱塩及び加熱された水浴中に沈められたステンレス鋼管の別のコイル中で気化する。
【００１５】
均一な温度分布を確実にするために、同じ水浴が循環状態で保たれる。
【００１６】
一方、排出された蒸発気は、ＳＣＶのベントスタックによって排出される。
【００１７】
イタリア特許第１０４２７９３号明細書（Ｓｎａｍｐｒｏｇｅｔｔｉ  Ｓ．ｐ．Ａ．）は、ＬＮＧの再ガス化及びガスタービンの排出から熱を回収する窒素閉ガスサイクル（Ｂｒａｙｔｏｎ）による電気エネルギーの同時生成のための方法を説明している。
【００１８】
しかしながら、そのような方法は、再ガス化ターミナルの要件よりも大きい量の電気エネルギーを生成するので、用途が限られている。５５％の計算収率は、３３ＭＷｅを生成し、これは必要とされるものの１０倍である。
【００１９】
さらに、これは、排出ガスから熱を回収するためにガスタービンを利用することに限定してのみ使用され得る。これはまた、１０に等しい圧縮比を必要とし、それ故にかなり複雑な機械、圧縮機、及び多段タービンの使用を必要とし、これらは高温（４００〜７００℃）で作動し、高価な材料も使用する。
【００２０】
他の欠点及び制限は、熱的負荷と電気負荷との比が熱的部分に対して強く不均衡であるという事実によって表される。したがって、熱的負荷及び電気負荷を同時に賄うために、ガスタービンから回収された熱の大部分は閉ガスサイクルによって放出され、効率の悪い閉ガスサイクルを実行する。さらに、ＬＮＧの流量が低下している状況では、タービン負荷をチョークするために、さらなる効率の損失を伴って、又は依然としてシステム内の効率を損失して、タービン放出ガスの一部を大気中に放出する必要がある。
【００２１】
水中燃焼気化器（ＳＣＶ）を特に参照すると、そのような技術は、生成されたガスの約１．５％に等しい燃料ガス消費を意味し、苛性ソーダによる処理を必要とする水浴のｐＨを低下させる二酸化炭素を生成し、１３９トン／時を再ガス化するために約５０，０００トン／年のＣＯ２の生成量を決定する。
【００２２】
その代わりにオープンラック気化器に関しては、そのような技術は、特にＬＮＧがより低温であるセクションにおいて、管の外側部分において海水の凍結を部分的に引き起こし得る。さらに、ｉ）これは、地理的地域及び／又は海水温度が主に亜熱帯によって表される少なくとも５〜９℃である季節に利用されることがあり、ｉｉ）海水は、管の亜鉛コーティングを腐食させ得る重金属の含有量を無くすか、又は低減するために事前に処理されなければならず、ｉｉｉ）これは、ＯＲＶの高さの展開に等しいレベルの測地差を克服しなければならない、海水ポンプを作動させるための電気エネルギー消費を意味し、これはＳＣＶ技術に比べて再ガス化ライン当たり１．２ＭＷｅの追加の消費（総プラント電力は２４．２ＭＷｅに等しい）を伴い、ｉｖ）最後に、この技術は非常に複雑であり、限られた数の供給業者及びサイズで利用可能である。
【００２３】
したがって、一般に、従来の技術は、プラントに必要な電気エネルギーを生成することを可能にせず、冷却ユニットの形態で大量のエネルギーの損失を招く。
【発明の概要】
【００２４】
本発明の著者らは、驚くべきことに、閉ガスサイクルを従来の再ガス化ラインに導入することが可能であることを見出した。
【課題を解決するための手段】
【００２５】
第１の目的は、液化天然ガス（ＬＮＧ）用の再ガス化ラインを説明することにある。
【００２６】
本発明の別の目的は、熱エネルギー及び電気エネルギーを発生させるための方法を説明することにある。
【００２７】
さらなる目的は、液化天然ガス（ＬＮＧ）の再ガス化プラントを備える再ガス化ターミナルを説明することにある。
【図面の簡単な説明】
【００２８】
【図１】本発明による再ガス化ラインを示す図である。
【図２】エネルギーバイパスの概念が図式化されている、より多くの再ガス化ラインを備えるプラントを示す図である。
【図３】本発明の代替実施形態による再ガス化ラインを示す図である。
【図４】本発明の別の代替実施形態による再ガス化ラインを示す図である。
【図５Ａ】本発明の再ガス化ラインの一部の代替構成を示す図である。
【図５Ｂ】本発明の再ガス化ラインの一部の別の代替構成を示す図である。
【図６】本発明の再ガス化ラインの一部の別の代替構成を示す図である。
【図７】本発明のさらなる実施形態による再ガス化ラインを示す図である。
【図８】本発明のさらなる実施形態による再ガス化ラインを示す図である。
【発明を実施するための形態】
【００２９】
本発明は、特に液化天然ガス（ＬＮＧ）の再ガス化に関して説明されているが、以下に説明する再ガス化ライン、再ガス化ターミナル及び再ガス化方法は、低温（約０℃未満）又は極低温（−４５℃未満）で貯蔵された他の液化流体の再ガス化又は気化にも同様に適用できる。
【００３０】
以下の説明では、「液化ガス」という用語は、主に液体成分の流体を意味することを意図している。
【００３１】
本発明は、例えば、空気、窒素、炭化水素化合物、例えば、プロパン及びブタンなどのアルカン、又はエチレン及びプロピレンなどのアルケンを含む群から選択された液化ガスの再ガス化又は気化、或いは、水素の再ガス化又は気化に同様の用途を見出すであろう。
【００３２】
説明を簡単にするために、本説明及び図面では、天然ガスを参照するものとする。
【００３３】
本発明の目的によれば、液化天然ガス（ＬＮＧ）用の再ガス化ラインが、説明される。
【００３４】
「再ガス化ライン」という用語は、液化天然ガス（ＬＮＧ）の再ガス化のための構造、設備、機械、及びシステムを備えるプラント部分を意味することを意図している。
【００３５】
そのような構造、設備、機械、及びシステムは、特に、ＬＮＧが貯蔵され、ガス自体の分配ネットワーク内の再ガス化されたＬＮＧの入口点で終わっているタンクに由来する。
【００３６】
より詳細には、タンク内では、液化天然ガス（ＬＮＧ）は、大気圧で約−１６０℃の温度で貯蔵される。
【００３７】
特に、液化ガスタンクは、例えば陸上又は洋上又はフロータ上であり得る、再ガス化プラント以外の場所又は構造内に位置することができる。
【００３８】
回路要素が、水中燃焼気化（ＳＣＶ）セクションの浴である。
【００３９】
気化浴に入る前に、ＬＮＧは、予備圧縮ステップにかけられて約７０〜８０バールの圧力にすることができる。
【００４０】
圧縮は、（図４のＰＭＰ１）直列で作動する低圧ポンプ（約４００ｋＷｅ）及び高圧ポンプ（約１３００ｋＷｅ）によって作動される。
【００４１】
図１では、ＣＭＰ１は、ボイルオフガス圧縮機（ＢＯＧ）を表す。
【００４２】
好ましい態様では、ＳＣＶセクションの浴入口では、液化ガスは、超臨界状態にあり得る。例えば、液化天然ガスの場合、これは、約７０〜８０バールの圧力及び約−１５５℃の温度であり得る。
【００４３】
ＳＣＶ浴内で、液化天然ガスは、気化され、最大約３℃の温度まで過熱される。
【００４４】
一旦再ガス化されると、天然ガスは、天然ガス分配ネットワークに導入され得る。
【００４５】
本発明の第１の目的によれば、液化天然ガスの再ガス化ライン（ベース回路）は、液化天然ガス（ＬＮＧ）バイパス回路を統合するように変更される。
【００４６】
特に、２つの回路間の統合は、ベース回路からの液化天然ガスの引き込み連結部と、分配ネットワークに向かうベース回路内の再ガス化された液化天然ガスの再導入連結部とにある。
【００４７】
好ましくは、引き込み連結部は、極低温ポンプの下流及び気化浴（ＳＣＶ）の上流にある。
【００４８】
したがって、本発明の目的のために、以下が説明される：
−天然ガス再ガス化バイパス回路を統合するように変更された、既存の再ガス化ライン（改造）、及び
−例えば新プラントを構築するための主ラインとする、バイパス回路からなる再ガス化ライン。
【００４９】
液化天然ガス（ＬＮＧ）バイパス回路
貯蔵タンクからの出力としてのＬＮＧ流（１０１）の一部は、任意選択で予備圧縮ステップの後に、ＬＮＧベース回路から引き出され、熱交換器（ＨＥ１）内で加熱及び気化ステップにかけられる。
【００５０】
特に、そのような加熱は、最大約３℃の温度まで作動される。
【００５１】
このようにして気化された天然ガス流（１０２）は、約７０バールの圧力及び３℃で天然ガスネットワークに導入される。
【００５２】
本発明の一態様によれば、交換器ＨＥ１からの出力としてのＬＮＧの一部（１０３）は、ボイラ（天然ガス焚きボイラ）に送られる。
【００５３】
約１３９ｔ／ｈの初期ＬＮＧ流量を考慮すると、ボイラ回路用に意図された量は、約１〜２ｔ／ｈである。
【００５４】
本発明の第１の目的によれば、上記で説明したベース回路及びバイパス回路を備える液化天然ガス（ＬＮＧ）回路は、閉ガスサイクルを導入する（又はそれと統合する）ことによって変更される。
【００５５】
閉ガスサイクル
本発明によれば、閉ガスサイクルは、作用流体と呼ばれる、好ましくは単原子ガスからなる流体と共に作動する。
【００５６】
さらにより好ましい態様では、前記ガスは、アルゴン、窒素、ヘリウム、及び空気を含む群から選択される。
【００５７】
本発明の目的のために、そのような作用流体は、アルゴン（Ａｒ）である。
【００５８】
約７０℃の温度及び約２０バールの圧力の作用流体１は、圧縮機Ｋ１を介して最大約４２バールまでの圧縮ステップにかけられ、約２（より正確には２．０９）の圧縮比となる。
【００５９】
閉ガスサイクルでは、決定パラメータは圧縮比であるが、（圧力が増加するにつれて、体積流量が減少するためにサイズが減少する）ターボ機械の設計及び（圧力が増加するにつれて管の厚さが増加する）設備では、（圧縮比によって互いに連結されている）最小圧力及び最大圧力が最適化される。
【００６０】
このようにして得られた流れ２は、熱交換器内で最大約４℃まで加熱される（図１のＨＥ３）。
【００６１】
このステップは、約１２ＭＷｔに等しい熱交換を含む。
【００６２】
本発明の目的のために、第３の熱交換器ＨＥ３内の熱交換ステップは、任意選択である。
【００６３】
続いて、加熱された流れ（図１の３）が、熱交換器（図１のＨＥ２）内で加熱されるか、又は任意選択でさらに加熱されて、約１２０℃の流れ４を得る。
【００６４】
このステップは、約１８ＭＷｔに等しい熱交換を含む。
【００６５】
次のステップにおいて、作用流体の流れ４は、発電機Ｇ１及び圧縮機Ｋ１に合わせられたタービンＴ２内で最大約２１バールまで膨張し、約４０℃まで冷却されて（図１の流れ５）、約２．２５ＭＷｅの正味電力をもたらす。
【００６６】
最後に、交換器ＨＥ１内で、閉ガスサイクルの作用流体は、約２７ＭＷｔの冷却のためにＬＮＧに熱出力を伝達する。
【００６７】
本発明の好ましい態様では、回路内を循環する閉ガスサイクルの作用流体流量は、約１３７．８ｔ／ｈである。
【００６８】
本発明の目的のために、熱交換器ＨＥ１において熱交換が起こり、それによって閉ガスサイクルの作用流体が熱出力を液化天然ガス（ＬＮＧ）に伝達し、液化天然ガスはこうして再ガス化される。
【００６９】
そのようなステップでは、約２７ＭＷｔに相当する熱交換が起こる。
【００７０】
図５Ａに示す本発明の代替の態様（ここで、Ｃ＝圧縮機、Ｒ１＝第１の減速機、Ｔ１＝タービン、Ｒ２＝第２の減速機、及びＧ＝発電機）によれば、タービン及び閉ガスサイクル圧縮機は、同じシャフト上に直接合わせられ得る。さらに、それらは、同じ回転速度を有していても有していなくてもよく、それらは、１つの同じ発電機に機械的エネルギーを伝達することができる。
【００７１】
図５Ｂに示す別の態様（ここで、Ｃ＝圧縮機、Ｒ１＝第１の減速機、Ｔ１＝タービン、Ｔ２＝第２のタービン、Ｒ２＝第２の減速機、及びＧ＝発電機）では、作用流体は、以下の直列の２つのタービン内で膨張することができる：圧縮機に合わせられて高圧で作動するＴ１、及び発電機に合わせられて低圧で作動するＴ２。
【００７２】
図６に示す他の代替形態では、圧縮機Ｋ１は、電気的に作動され、タービンＴ２は、発電機だけに合わせられる。
【００７３】
図示しない別の代替形態では、熱交換器（回収器）が、タービンの出力に挿入され、タービン内で膨張した後の作用流体は、交換器ＨＥ２から熱を受け取る前に、熱交換器ＨＥ３からの作用流体の出力に熱を伝達する。
【００７４】
本発明のさらなる態様によれば、作用流体回路は、追加の回路とさらに統合され得る。
【００７５】
特に、そのような回路は以下を備えることができる：
−ボイラ回路、
−「燃料電池」から熱を回収するための回路、
−海水回路、
−ＢＯＧ圧縮機からの圧縮熱を回収するための回路。
【００７６】
本発明の好ましい態様によれば、統合は、上に列挙したそれらのサイクルのうちの任意の１つ又は複数で可能である。
【００７７】
ボイラ回路又は第１の高温回路
回路には、約３０℃の温度の水が供給される（図１の２０１）。
【００７８】
水流２０２は、約３．８２バールの圧力でボイラに到達し、図１のボイラＰＭＰ３の循環ポンプによって循環される。ボイラ内で約１４０℃に加熱された水の流れ２０３は、熱交換器（ＨＥ２）内で冷却され、これは、約３０℃に冷却される（２０１）。
【００７９】
本発明の好ましい態様によれば、ボイラ回路は、交換器ＨＥ２で閉ガスサイクルと統合され、その中でボイラ回路水は、熱出力を、約１２０℃に昇温した閉ガスサイクルの作用流体に伝達し冷却する。
【００８０】
そのようなステップは、特に、約１８ＭＷｔに相当する熱交換を含む。
【００８１】
本発明の代替の態様では、ボイラは、同等の熱源によって置き換えられてもよい。
【００８２】
本発明の代替の態様によれば、過熱水ボイラ回路は、ジアテルミーオイル回路によって置き換えられてよい。
【００８３】
１つ又は他の方法の選択が、必要性に基づいてなされてよい。
【００８４】
図８に示す本発明の一態様では、ボイラ回路は、空気が供給されたボイラ自体の排出蒸発気（図８の２０３）によって表される中間流体と共に作動する。
【００８５】
特に、熱交換器ＨＥ２において、ボイラから出力された蒸発気と共に熱交換が起こり、スタック２０１に送られる蒸発気を生成する。
【００８６】
交換器ＨＥ２から出力された作用流体は、ボイラ内で加熱され、続いて流れ４は、タービンＴ２に送られる。
【００８７】
そのような構成では、熱交換は、ボイラ内の輻射及び交換器ＨＥ２内の対流（作用流体サイクルとの統合点）によって起こる。
【００８８】
上記で説明した実施形態では、好ましく使用される作用流体は、窒素である。
【００８９】
本発明の代替の態様では、熱源としてのボイラは、燃料電池であり、その排出流体は、熱を伝達することができる。
【００９０】
燃料電池の供給流体は、水素、エタノール、メタンであり得る。
【００９１】
海水回路又は第２の低温回路
海水は、海水出口で約９℃の温度で引き出される（図１の３０１）。
【００９２】
続いて、これは、ポンプＰＭＰ２を用いて最大約２バール（図１の３０２）の圧力まで圧送ステップにかけられ、次いで第３の熱交換器（ＨＥ３）内で約４℃まで冷却される。
【００９３】
ＨＥ３におけるこの冷却ステップは、約１２ＭＷｔの熱エネルギーの伝達を伴う。
【００９４】
これらの条件において、水流（３０３）は、海に放出され得る。
【００９５】
任意選択で、循環系への導入の前に、海水は、物質及び有機材料、例えば藻類、軟体動物、及び砂又は粒子状物質などの無機材料を保持するために濾過ステップにかけられる。
【００９６】
本発明の好ましい態様によれば、閉ガスサイクルとの統合は、第３の熱交換器ＨＥ３で起こり、ここで海水は、閉ガスサイクルの作用流体に熱を伝達する。
【００９７】
そのようなステップは、特に、約１２ＭＷｔに相当する熱交換を含む。
【００９８】
第３の熱交換器（ＨＥ３）における熱交換ステップは、閉ガスサイクルの作用流体を加熱する上記で説明したステップに対応することが分かるであろう。
【００９９】
閉ガスサイクルを海水回路と統合することにより、低温で第２の熱源を利用することが可能になり、再ガス化天然ガスの消費量を低減することが可能になる。
【０１００】
本説明では、「海水」を参照する場合、これは、圧送された海水、堆積物を除去するために適切に処理されるものだけでなく、より一般的には河川、運河、井戸、湖などの天然盆地又は人工流域から得られた真水をも参照することを意味する。
【０１０１】
本発明の代替実施形態では、海水の代わりに、例えば空気加熱技術を使用して、周囲空気を低温の熱源として使用することができる。
【０１０２】
そのような構成では、周囲空気を自然に又は強制循環によって通過させる交換器コイルを設けることができ、ここでコイル内の作用流体は加熱され、コイルの外側の空気は冷却される。
【０１０３】
この文脈における回路の構造的変更は、当業者の範囲内である。
【０１０４】
ＢＯＧサイクル
図７に示す本発明のさらなる態様によれば、海水回路は、ＢＯＧ回路によって置き換えられるか又はそれに追加され得る。
【０１０５】
そのような目的のために、特に、温水流れ３０１が、熱交換器ＨＥ３に送られ、ここで熱交換が作用流体と共に起こる。
【０１０６】
熱交換器ＨＥ３３０３からの流れ出力１０１は、ＢＯＧ圧縮機からのＢＯＧ出力との熱交換器のために熱交換器ＨＥ５に送られる。
【０１０７】
図示しない本発明のさらなる態様によれば、圧縮後のＢＯＧと作用流体との間の熱交換器は、熱交換器ＨＥ３内で直接起こる。
【０１０８】
図示しない本発明のさらなる態様によれば、ＢＯＧ圧縮は、より多くのステップで実行されてよく、この条件では、各圧縮の出力において、熱は、ＨＥ３などのより多くの交換機又は単一交換器（単一本体内で多くの熱交換）内に伝達され得る。
【０１０９】
電子回路
電気的要件に関して、本発明のシステムは、再ガス化ラインをエネルギー的に独立させるために約２．２５ＭＷｅを必要とし、再ガス化ターミナル全体の電気負荷の１／４をカバーする場合には４．８５ＭＷｅを必要とする。
【０１１０】
特に、本発明のシステムは、再ガス化ライン（２．２５ＭＷｅ）又は再ガス化ターミナル全体の電気負荷の１／４の電気的要件を全て提供し、低圧及び高圧の極低温ポンプ（ＰＭＰ１）、ボイルオフガス圧縮機（ＣＭＰ１）、並びに海水を圧送するためのポンプ（ＰＭＰ２）及びボイラ循環ポンプ（ＰＭＰ３）に供給する。
【０１１１】
したがって、上記の説明によれば、本発明は、以下を備える液化天然ガス（ＬＮＧ）の再ガス化ラインを説明する：
−前記液化天然ガス（ＬＮＧ）の気化セクション、及び
−作用流体と共に作動し、第１の熱交換器（ＨＥ１）、圧縮機、第２の交換器（ＨＥ２）、第３の交換器（ＨＥ３）、及び閉ガスサイクルの前記作用流体によって電気エネルギーを発生させるためのタービンをさらに備える、閉ガスサイクルのセクション。
【０１１２】
より具体的には、閉ガスサイクルの作用流体の熱は、第１の熱交換器（ＨＥ１）内で液化天然ガス（ＬＮＧ）に伝達される。
【０１１３】
本発明の目的のために、閉ガスサイクルの前記作用流体は、空気、窒素、ヘリウム、アルゴンを含む群から選択される。
【０１１４】
本発明によれば、閉ガスサイクルは、好ましくは単原子ガスからなる流体と共に作動する。
【０１１５】
好ましくは、閉ガスサイクルの作用流体は、アルゴンである。
【０１１６】
本発明の好ましい態様によれば、説明した再ガス化ラインは、２つの熱交換器（それぞれＨＥ１、ＨＥ２）を備える。
【０１１７】
本発明の一態様では、第２の交換器（ＨＥ２）は、第１の中間流体と共に作動する回路の一部である。
【０１１８】
前記第２の交換器（ＨＥ２）内では、特に、前記第１の中間流体と、熱が伝達される閉ガスサイクルの前記作用流体との間で熱交換が実行される。
【０１１９】
本発明の好ましい実施形態では、第２の交換器（ＨＥ２）内では、前記第１の中間流体は、吸熱エンジン、ガスタービン又は内燃エンジンの排出蒸発気又はプロセス回収物（高温源）からなる。
【０１２０】
さらなる態様によれば、本発明の再ガス化ラインは、第３の熱交換器（ＨＥ３）を備える。
【０１２１】
そのような第３の交換器（ＨＥ３）は、特に、第２の中間流体と共に作動する回路の一部である。
【０１２２】
特に、前記第３の熱交換器（ＨＥ３）内では、前記第２の中間流体と、熱が伝達される閉ガスサイクルの前記作用流体との間で熱交換が実行される。
【０１２３】
本発明の目的のために、作用流体回路は、第１の中間流体の回路、又は第２の中間流体の回路、あるいは両方の回路と統合され得る。
【０１２４】
いずれにせよ、本発明の好ましい態様によれば、第１の中間流体と共に作動する回路及び第２の中間流体と共に作動する回路は、例えば１８０℃より低い温度、好ましくは１２０℃より低い温度の低温熱源を利用する回路である。
【０１２５】
また、本発明の好ましい態様によれば、第１の中間流体と共に作動する回路及び第２の中間流体と共に作動する回路は、例えば１８０℃より高い温度、好ましくは３００℃より高い、さらにより好ましくは４００℃より高い高温及び低温それぞれの熱源を利用する回路である。
【０１２６】
本発明の目的のために、「低温熱源」という用語は、例えば、周囲空気、海水、太陽熱加熱、プロセス熱回収及び／又は低温機械を意味することを意図している。
【０１２７】
本発明の目的のために、「高温熱源」という用語は、例えば、太陽熱加熱、熱出力学的サイクルの排熱、ガスタービン又は内燃機関の排出ガス、プロセス熱回収及び／又は高温機械を意味することを意図している。
【０１２８】
本発明の好ましい態様によれば、第１の中間流体は、加温された／過熱された水又はジアテルミーオイルであり、それぞれの回路は、ボイラ回路である。
【０１２９】
したがって、過熱ボイラ水又はジアテルミーオイルの冷却及び閉ガスサイクルの作用流体の加熱は、第２の交換器（ＨＥ２）内で実施される。
【０１３０】
特定の態様によれば、ボイラ水の冷却及び第３の熱交換器（ＨＥ３）から出力される閉ガスサイクルの作用流体の加熱は、第２の熱交換器（ＨＥ２）内で実施される（図４及び図１）。
【０１３１】
しかし、代替の態様によれば、第２の熱交換器内では、液化天然ガス（ＬＮＧ）を前記作用流体（ＨＥ２）によって再ガス化するために、ボイラ水の冷却及び第１の熱交換器（ＨＥ１）から出力される閉ガスサイクルの作用流体の加熱が実施される（図３）。
【０１３２】
本発明の好ましい態様によれば、第２の中間流体は、海水であり、それぞれの回路は、海水回路である。
【０１３３】
本発明によれば、再ガス化ラインは、水中燃焼気化器（ＳＣＶ）型のものである液化天然ガスの気化セクションを備える。
【０１３４】
本発明の特に好ましい態様によれば、閉ガスサイクルのタービンには、電気エネルギーを発生させるために、第２の熱交換器（ＨＥ２）からの出力又は第３の熱交換器（ＨＥ３）から及び第２の熱交換機（ＨＥ２）からの出力において加熱された閉ガスサイクルの作用流体が供給される。
【０１３５】
本発明の一態様では、ボイラ回路のボイラには、閉ガスサイクル作用流体と液化天然ガス（ＬＮＧ）との間の熱交換が中で実装される第１の熱交換器（ＨＥ１）から出力された再ガス化天然ガスの一部が供給される。
【０１３６】
本発明の目的のために、液化天然ガス（ＬＮＧ）の再ガス化ラインは、利用可能であれば電気エネルギー供給装置、又は例えばガスタービンもしくは内燃機関などの発電ユニットのための外部ネットワークへの連結をさらに含む。
【０１３７】
本発明の代替の実施形態によれば、液化天然ガスの再ガス化ラインは、ヒートポンプ（図３のＨＰ）をさらに備えるように変更される。
【０１３８】
より具体的には、そのような実施形態は、第１の中間流体の回路が好ましくはボイラ回路であることを規定する。
【０１３９】
ヒートポンプ（ＨＰ）に関して、これは好ましくは以下を備える：
−任意選択で前記冷却流体を循環させるためのポンプを備える、冷却流体回路、及び
−ヒートポンプの第１及び第２の熱交換器。
【０１４０】
特に、冷却流体回路は、好ましくは、例えば、水−グリコール及び他の冷却流体、例えば流体Ｒ１３４ａ，Ｒ３２，Ｒ１４３ａ，Ｒ１２５などを含む群から選択される流体によって作動する。
【０１４１】
本発明の好ましい態様によれば、前記冷却流体は、以下のように作動する：
−ヒートポンプの蒸発器（図３及び図４のＶＰＣ）によって表される、ポンプの第１の熱交換器内の第１の熱交換。これにより、冷却流体は、ヒートポンプの第１の中間流体（ＨＰＦ１）から熱を取得する。
−ヒートポンプの凝縮器（図３及び図４のＣＰＣ）によって表される、ポンプの第２の熱交換器内の第２の熱交換。これにより、冷却流体は、ヒートポンプの第２の中間流体（ＨＰＦ２）から熱を伝達する。
【０１４２】
本発明の目的のために、第１の中間流体（ＨＰＦ１）は、海水（又は上で定義されたように真水）によって表され、これは約９℃の温度で抽出され、ガス化ラインの自給率を考慮して約４．４ＭＷｔ、及び再ガス化ターミナルの電気負荷の１／４のものによる９．８ＭＷｔに対応する熱交換によって、ヒートポンプ（ＶＰＣ）の蒸発器内で約４℃に冷却される。
【０１４３】
任意選択で、ヒートポンプの使用の前に、海水は、物質及び有機材料、例えば藻類、軟体動物、及び砂又は粒子状物質などの無機材料を保持するために濾過ステップにかけられる。
【０１４４】
本発明の代替の態様では、ヒートポンプの第１の中間流体（ＨＰＦ１）は、周囲空気によって表され得る。
【０１４５】
本発明の目的のために、第２の中間流体（ＨＰＦ２）は、温水であり、これは、ヒートポンプ（ＣＰＣ）の凝縮器内で、再ガス化ラインの自給率を考慮して５．１ＭＷｔ、及び再ガス化ターミナルの電気負荷の１／４のものによる１１．４ＭＷｔに対応する熱交換によって、約１８℃から約２３℃に加熱される。
【０１４６】
本発明の特に好ましい態様によれば、第２の中間流体（ＨＰＦ２）の回路は、液化天然ガス（ＬＮＧ）再ガス化バイパス回路に統合される。
【０１４７】
特に、そのような統合は、第２の中間流体（ＨＰＦ２）が液化天然ガスに熱を伝達する熱交換器（図３のＨＥ４）によって実装される。
【０１４８】
好ましい態様によれば、第２の中間流体（ＨＰＦ２）との熱交換の液化天然ガス流対象物は、第１の熱交換器（ＨＥ１）からのＬＮＧ出力であり、少なくとも部分的に再ガス化されている。
【０１４９】
さらに、熱交換器（ＨＥ４）から排出される再ガス化液化天然ガスの一部は、ボイラ回路のボイラに供給するために使用されてよい。
【０１５０】
本発明のさらにより好ましい態様によれば、閉ガスサイクルのタービンによって生成された電力の一部が、ヒートポンプ、特にヒートポンプの圧縮機（ＣＰＣ）に供給される。
【０１５１】
本発明の第２の目的によれば、熱エネルギー及び電気エネルギーを発生させるための方法が説明されている。
【０１５２】
本発明の目的のために、そのような方法は、液化ガスの再ガス化及び／又は再ガス化ガスの加熱（又は過熱）方法も意味する。
【０１５３】
そのような用途の一つは、例えば低温ガスの貯蔵である。
【０１５４】
特に、そのような方法は、作用流体を用いて閉ガスサイクルを作動させるステップ１）を含む。
【０１５５】
好ましくは、ステップ１）は、以下のステップを含む：
ｉ）閉ガスサイクルの作用流体によって１つ以上の熱エネルギー取得ステップを実施するステップ、
ｉｉ）前記作用流体によって電気エネルギー発生ステップを実施するステップ、及び
ｉｉｉ）閉ガスサイクルの作用流体から液化流体への熱エネルギー伝達ステップを実施するステップ。
【０１５６】
本発明の一態様では、そのような液化流体は、熱交換器内の液化天然ガス（ＬＮＧ）である。
【０１５７】
本発明の目的のために、閉ガスサイクルの前記作用流体は、空気、窒素、ヘリウム、アルゴンを含む群から選択される。
【０１５８】
本発明によれば、閉ガスサイクルは、好ましくは単原子ガスからなる流体と共に作動する。
【０１５９】
好ましくは、閉ガスサイクルの作用流体は、アルゴンである。
【０１６０】
電気エネルギーを発生させるステップｉｉ）に関して、これは、好ましくは、閉ガスサイクルのタービン（Ｔ２）に連結された発電機（Ｇ１）によって実施される。
【０１６１】
さらに、そのようなステップｉｉ）は、熱を取得するステップｉ）の後及び熱エネルギーを伝達するステップｉｉｉ）の前に実施される。
【０１６２】
本発明の好ましい態様によれば、閉ガスサイクルの作用流体による１つ又は複数の熱取得ステップを実施する上記で説明したステップｉ）は、ステップＡを含む。
【０１６３】
本発明の別の態様によれば、上記で説明したステップｉ）は、ステップＡの代替として又はそれに加えてステップＡ’を含む。
【０１６４】
好ましくは、前記ステップＡ及びＡ’の一方又は両方は、低温熱源からの熱エネルギーの取得を含む。
【０１６５】
好ましくは、ステップＡ’は、高温熱源からの熱エネルギーの取得を含む。
【０１６６】
上記で説明したように、本発明の目的のために、用語「低温熱源」は、例えば、周囲空気、海水、低温太陽熱加熱、低温熱出力学サイクルの排熱、プロセス熱回収及び／又は低温機械を意味することを意図している。
【０１６７】
低温源は約１８０℃未満、好ましくは約１２０℃未満の温度で作動することが理解される。
【０１６８】
本発明の目的のために、「高温熱源」という用語は、例えば、高温太陽熱加熱、高温熱出力学的サイクルの排熱、ガスタービン又は内燃機関の排出ガス、プロセス熱回収及び／又は高温機械を意味することを意図している。
【０１６９】
高温源は、１８０℃より高い、好ましくは３００℃より高い、さらにより好ましくは４００℃より高い温度で作動することが理解される。
【０１７０】
本発明の特に好ましい態様では、海水から熱エネルギーを取得するステップＡが、実施される。
【０１７１】
代替の態様では、ステップＡは、ＢＯＧ圧縮機内で圧縮された後にＢＯＧによって加熱された温水からの熱エネルギーの取得の代替として、又はそれに加えて実施される。
【０１７２】
本発明の別の特に好ましい態様では、ステップＡ’は、過熱水から、又はボイラ回路のジアテルミーオイルから、又はボイラによって生成された蒸発気から熱エネルギーを取得することで実施される。
【０１７３】
上記で説明したように、ステップｉｉｉ）は、液化天然ガスに熱エネルギーを伝達することを含み、液化天然ガスはこうして再ガス化される。
【０１７４】
そのような再ガス化は、特に、熱交換器（ＨＥ１）内で実施され、閉ガスサイクルの作用流体は、熱エネルギーの伝達を作動させる。
【０１７５】
本発明の特定の態様では、ステップＡ’のボイラには、閉ガスサイクルの作用流体によって作動される熱の伝達によって熱交換器（ＨＥ１）内で再ガス化された液化天然ガスの一部が供給される。
【０１７６】
上記で説明した方法は、好ましくは、上記で説明したように本発明にしたがって変更された液化天然ガス（ＬＮＧ）の再ガス化ライン内で作動される。
【０１７７】
本発明の代替の実施形態によれば、方法は、以下のさらなるステップを含む：
２）以下のステップによってヒートポンプ（ＨＰ）を作動させるステップ：
ａ）冷却流体と第１の中間流体（ＨＰＦ１）との間で第１の熱交換を実装するステップであって、前記中間流体（ＨＰＦ１）は熱エネルギーを前記冷却流体に伝達する、ステップ、
ｂ）前記冷却流体と第２の中間流体（ＨＰＦ２）との間で第２の熱交換を作動させるステップであって、前記冷却流体は熱エネルギーを前記第２の中間流体（ＨＰＦ２）に伝達する、ステップ、及び
３）前記第２の中間流体（ＨＰＦ２）と液化天然ガス（ＬＮＧ）との間で熱交換を作動させるステップ。
【０１７８】
ステップ３）を参照すると、これは、好ましくは、第１の熱交換器（ＨＥ１）内で少なくとも部分的に再ガス化された液化天然ガス流上で作動される。
【０１７９】
本発明の方法の特に好ましい態様によれば、ステップ２）で作動されるヒートポンプは、ステップｉｉ）で生成された電気エネルギーによって、特にタービンＴ２に連結された発電機Ｇ１によって供給される。
【０１８０】
特に、冷却流体を循環させるためのポンプが、供給される。
【０１８１】
さらなる目的では、液化天然ガス（ＬＮＧ）の１つ又は複数の再ガス化ラインを備える再ガス化ターミナルが、説明される。
【０１８２】
特に、各再ガス化ラインは、本発明に従って上記で説明したラインである。
【０１８３】
再ガス化ターミナルは、プラントとして意味され、通常、以下によって表される共通の構造を備える：
−液化天然ガス貯蔵タンク、
−極低温ポンプを備える圧縮セクション：通常、これは、低圧ポンプ（約４００ｋＷｅを消費する）及び高圧ポンプ（約１３００ｋＷｅを消費する）である
−ボイルオフガス圧縮機（ＢＯＧ圧縮機）、
−利用可能であれば電気エネルギー供給装置、又は例えばガスタービンもしくは内燃機関などの発電ユニットのための外部ネットワークへの連結、
−液化ガスの気化セクション、例えば、その空気供給回路及び相対圧縮機を備えた水中燃焼気化技術又はオープンラック気化器によるもの、
−異なる要件を満たし、プラントの良好な柔軟性を可能にするための、１つ又は複数の従来の再ガス化ライン及び上記で説明したバイパス構成による少なくとも１つ。
【０１８４】
本発明の一態様では、ターミナルは、２、３、４、５、又は６つのライン、好ましくは４つのラインを備える。
【０１８５】
異なる再ガス化ラインは、平行に作動する。
【０１８６】
したがって、そのような構造は、本発明によって提案された技術を既存のプラントに適応することを可能にする（改造）。
【０１８７】
本発明の目的のために、再ガス化ターミナルの新しい実施形態は、上記で説明したバイパス構成による１つ又は複数の再ガス化ラインを備えることができ、例えばＳＣＶ型の「従来の」気化セクションを含まない。
【０１８８】
プラントの技術的要件に対して、単一回路のいくつかの要素がより多くの再ガス化ラインに共通であることを排除することはできない。
【０１８９】
特に、ラインごとの独立した閉ガスサイクルを配置することにより、各ライン内の熱交換効率を変更することが可能になり、それによって広い作用柔軟性が可能になる。
【０１９０】
したがって、異なる再ガス化ラインを備えるプラントを実現する可能性により、柔軟性の点で明らかな利点を伴って、各再ガス化ラインにおいて、同時に又は同時でなく独立した方法で本発明の方法を作動させることが可能になる。
【０１９１】
前述の説明から、当業者は、本発明によって提供される多数の利点を理解することができる。
【０１９２】
まず第一に、エネルギーの面での利点は重要であり、これは１１％を達成し、海水とヒートポンプの使用を提供する構成では３７％も達成する。
【０１９３】
説明する方法が、ガス化ラインの電気的要件をカバーし、２〜３の圧縮比を使用し、したがって圧縮機及びタービンの段数を制限しながら、約１２０〜１８０℃の低温ボイラでの作用を可能にすることを過小評価すべきではない。
【０１９４】
さらに、再ガス化負荷が減少した場合には、閉ガスサイクルの循環作用流体の流量は、圧縮機への引き込みと送出との間の中間圧力で作動する外側タンクによって調節することができる。したがって、閉ガスサイクルは、システムの効率を低下させることなく調整することができる。
【０１９５】
説明した技術はまた、技術的又はメンテナンス上の問題によって閉ガスサイクルがどのように連結解除されても、エネルギーバイパス構成においても作用することを可能にする。
【０１９６】
このエネルギーバイパス構成は、生成を停止することなくプラントの電気負荷及び熱的負荷を調節すること、再ガス化のために外部ネットワークからの電気エネルギーを利用すること、又は説明したモジュラーシステムと共に作動し、過剰な電気生産（電気的余剰）の条件下で他のラインからエネルギーを引き出し、外部ネットワークの使用を回避することを可能にする。
【０１９７】
このエネルギーバイパス構成は、従来の再ガス化ラインの維持及び／又は誤った管理の間にプラントに電気エネルギーを提供し、こうしてＬＮＧ流量の一部で作動することを可能にする。
【０１９８】
さらに、プロセスパラメータは、とりわけ従来の冶金術を必要とする、構造的に単純で容易に入手可能な設備を使用することを可能にする。したがって、全体として、プラントの製造コストの低減につながる。
【０１９９】
本発明の目的により使用される閉ガスサイクルの作用流体は、単原子ガスである。
【０２００】
単原子ガスの使用は、多原子ガスを有するものと比較してより単純なターボ機械の使用を可能にし、ここでより単純な機械とは、可変の子午線プロファイルがほとんどない機械を意味する。
【０２０１】
特に、単原子ガスの利点に加えてアルゴンの使用もまた、飽和曲線の近くで実際のガスの好ましい効果を利用する可能性を可能にする。すなわち、圧縮作用は、完全なガスのものより少ない。アルゴンの別の利点は、高分子量（４０ｋｇ／ｋｍｏｌ）を有することであり、これは、低いエンタルピーシフトを有し、これらが発電機に直接結合する可能性によって低回転速度を有するため、少ない段及びわずかな機械的応力でターボ機械を作ることを可能にする。
【０２０２】
アルゴンが化学的に不活性であること、不燃性であること、最終的には、低コストで広く利用可能であることも忘れてはならない。
【０２０３】
さらに、アルゴンの使用は、予備計算に基づくターボ機械の設計及びそのサイジングをより容易にする。
【０２０４】
この方法は、プラント全体又は再ガス化プラント全体の電力の一部の、再ガス化ラインの電気的バランスを完全に閉じる。
【０２０５】
一方、特定の技術に関しては、ＳＣＶのように熱出力消費はなく、再ガス化と結び付けられたサイクルの効率が達成され、サイクルの総熱入口量と比較した、再ガス化のための電力及び熱出力の合計に関して表わすと１に近く、燃料ガス消費は、４０％を超える利点を伴って低減され（燃料ガス節約量−ＦＧＳ＝ガスサイクル消費量−ＳＣＶ消費量／ＳＣＶ消費量）、最終的に４０％のＣＯ２排出量の低減となる。
【０２０６】
オープンラック気化器と比較して、本発明は、ＯＲＶの使用を妨げるであろう条件であっても、例えば、５℃を下回る海水温度の場合、及び低ＬＮＧ流量のサイズが利用可能でない場合でも、海水の使用を可能にする。さらに、海水を化学的に処理し、パネルの高さによるレベルの差を克服するために海水を圧送する必要はなく、使用する設備の供給元を広く利用することができ、見つけることが容易である。
【０２０７】
空気加熱技術によって熱交換器ＨＥ３内の周囲空気の使用を提供する実施形態は、閉ガスサイクルへの熱の伝達によって冷却された空気をタービン自体に吹き付けることによってタービンの効率を改善し、このようにして電力の格下げを回避することを可能にする。
【０２０８】
このような利点は、特に周囲温度がすでに高い（暖かい国）場合に重要であり、ガスタービンが電気負荷（例えばプラントベース負荷）の一部を賄い、閉ガスサイクルと統合されていない場合にも見出される。
【０２０９】
ＢＯＧ回路の使用を含む実施形態は、ＢＯＧ再凝縮器に入る前にＢＯＧの予冷を実行するという特定の利点を有する。
【０２１０】
さらに、これは、燃料を使用せずに作用流体をさらに加熱することを可能にする。
【０２１１】
また、多相圧縮の場合には、各ＢＯＧ圧縮段階の後に利用可能な熱を閉ガスサイクルに徐々に導入することも可能であり、こうして非常に効率的な加熱を徐々に得る。
【０２１２】
ヒートポンプの使用を含む本発明の実施形態は、さらなる利点を提供する。
【０２１３】
第一に、ヒートポンプと統合された閉ガスサイクルの場合、最大３５％までの利点（燃料ガス節約量（ＦＧＳ）＝（ガスサイクル消費量−ＳＣＶ消費量）／ＳＣＶ消費量で表される）を伴って、ＳＣＶ技術に関し燃料ガス消費量の低減が得られる。
【０２１４】
さらに、ヒートポンプは効率的であり、ＬＮＧを再ガス化するために伝達される熱出力と、海水から再ガス化されるＬＮＧへエネルギーを伝達するために消費される（電力）出力とを表わす成績係数（ＣＯＰ）−最大１５を有する。
【０２１５】
さらに、ヒートポンプは、３°Ｃ〜１２°Ｃ（及びそれ以上）の海水温度と最大１０°Ｃの熱交換器ＨＥ４からの出口温度との間で作用する。これにより、ヒートポンプの非常に高いＣＯＰを達成することが可能になる（そのような構成では、ヒートポンプはチラーとして作動する）。
【０２１６】
間違いなく、ヒートポンプの設置は柔軟性があり、これは、海の近く又は再ガス化プラントの近くに置くことができる。そのような柔軟性の結果、用途の特異性に従って、経路海水パイプを最適化する可能性をもたらす。
【０２１７】
当業者は、上記で説明する技術がどのようにして新しい再ガス化ライン又はプラントの建設だけでなく既存のプラントの変更（改造）にも適用され得るかをさらに容易に理解することができる。
【０２１８】
本発明によって説明される再ガス化ターミナルは、プラント流量を再ガス化され又は貯蔵されたＬＮＧのニーズに適応させるニーズ、それとは対照的にプラントの作動をＬＮＧの流れのあらゆる低減に適合させるニーズ、明白な管理の柔軟性による、例えば１つ又は複数のラインの日常的なメンテナンス及び特別なメンテナンスに関連付けられる技術的要件のニーズなどのいくつかのニーズを満たすことを可能にする。
【０２１９】
上記で説明したものに加えて、本発明は、ベース負荷及び小規模プラントチューブに適用できることに留意されたい。
【０２２０】
本発明は、特に液化天然ガス（ＬＮＧ）の再ガス化に関して説明されているが、本明細書に説明する再ガス化ライン、再ガス化ターミナル、及び再ガス化方法は、低温（約０℃未満）又は極低温（−４５℃未満）で貯蔵された他の液化流体の再ガス化又は気化にも同様に適用できることに留意されたい。
【０２２１】
例えば、本発明は、他の液化ガス、例えば、空気、窒素、炭化水素化合物、例えば、プロパン及びブタンなどのアルカン、もしくは、エチレン、プロピレンなどのアルケンなど、又は液化天然ガス（ＬＮＧ）、水素の再ガス化又は気化にも適用を見出すであろう。
【０２２２】
さらに、本発明は、再ガス化される流体（窒素、水素及び他の上記の気体）ではなく、液体又は固体の極低温貯蔵物もコールドウエルとして使用して適用され得る。
【０２２３】
一方、別の用途では、これは、ガス状の極低温の貯蔵物、液体又は固体のものを形成するために使用可能である。
【図１】
2020501071.tif 000003
【図２】
2020501071.tif 000004
【図３】
2020501071.tif 000005
【図４】
2020501071.tif 000006
【図５】
2020501071.tif 000007
【図６】
2020501071.tif 000008
【図７】
2020501071.tif 000009
【図８】
2020501071.tif 000010
【国際調査報告】
2020501071.tif 000011
2020501071.tif 000012